(57)【特許請求の範囲】
【請求項１】
ソフトペダルの踏み込みに伴って作動し、鍵の離鍵状態におけるハンマーと弦との間の距離を狭めることによって、ソフトペダル効果を付与するアップライトピアノのハンマーレール装置であって、
左右方向に並設され、孔を有する複数のブラケットと、
前記複数のブラケットに対応する複数の部位に、左右方向の互いに同じ向きに突出する複数の挿入部を有し、当該複数の挿入部が前記複数のブラケットの前記孔に挿入された状態で、前記複数のブラケットに回動自在に支持され、所定角度よりも大きな角度まで前記弦側に回動可能であるとともに、前記ソフトペダルの踏み込み時には前記所定角度、回動するように構成されており、前記鍵の離鍵状態において前記ハンマーが当接するハンマーレールと、
当該ハンマーレールの回動角が前記所定角度以下のときに、前記ハンマーレールの左右方向への移動を規制するとともに、当該ハンマーレールの回動角が前記所定角度よりも大きいときに、前記ハンマーレールの左右方向への移動を許容するストッパと、
を備えることを特徴とするアップライトピアノのハンマーレール装置。
【請求項２】
前記複数の挿入部の突出量が互いに異なることを特徴とする、請求項１に記載のアップライトピアノのハンマーレール装置。
【発明の詳細な説明】
【技術分野】
【０００１】
本発明は、ソフトペダルの踏み込みに伴って作動し、鍵の離鍵状態におけるハンマーと弦との間の距離を狭めることによって、ソフトペダル効果を付与するアップライトピアノのハンマーレール装置に関する。
【背景技術】
【０００２】
従来のハンマーレール装置として、例えば特許文献１に開示されたものが知られている。このハンマーレール装置は、下方に突出するヒンジが設けられた、左右方向に長く延びるハンマーレールと、ヒンジを介してハンマーレールを回動自在に支持するブラケットとを有している。離鍵状態では、このハンマーレールに、左右方向に並設された多数のハンマーが当接している。また、ハンマーレールは、ソフトペダルの踏み込みに伴って弦側に回動し、それにより、離鍵状態におけるハンマーと弦との間の距離が狭められる。これにより、ハンマーによる弦の打弦力およびそれによって発生するピアノ音が弱められることによって、ソフトペダル効果が付与される。
【０００３】
また、従来のハンマーレールとして、図６に示すようなものが知られている。このハンマーレール５０では、そのヒンジは、左右方向に長く延びるハンマーレール本体５１の下面の左端部（低音側の端部）、中央および右端部（高音側の端部）にそれぞれ設けられた第１〜第３のヒンジ５２〜５４で構成されている。これらのヒンジ５２〜５４はいずれも、クランク状に形成されており、ハンマーレール本体５１に、２本のねじ５５により取り付けられている。また、第１ヒンジ５２は、左方に延びる第１挿入部５２ｂを、第２および第３のヒンジ５３，５４は、右方に延びる第２および第３の挿入部５３ｂ，５４ｂを、それぞれ有している。そして、これらの挿入部５２ｂ〜５４ｂを対応するブラケットの挿入孔（いずれも図示せず）に、第１挿入部５２ｂについては右方から、第２および第３の挿入部５３ｂ，５４ｂについては左方から、それぞれ挿入することによって、ハンマーレール５０が３つのブラケットに回動自在に支持されている。
【０００４】
以上のように、第１挿入部５２ｂと第２および第３の挿入部５３ｂ，５４ｂの向きが互いに異なることによって、例えば、ソフトペダルの踏み込みによるハンマーレール５０の回動に伴い、第１挿入部５２ｂがブラケットの挿入孔から外れる方向にハンマーレール５０が移動したときには、第２および第３の挿入部５３ｂ，５４ｂが挿入孔に入り込み、それにより、ブラケットからのハンマーレール５０の外れが防止される。
【０００５】
また、ハンマーレール５０は、左右方向に長く延びているため、その下方に設けられたアクションのメンテナンスなどを行う際には、邪魔にならないよう、ブラケットから取り外すことが好ましい。このハンマーレール５０の取り外しは、次のようにして行われる。すなわち、まず、第１ヒンジ５２の２本のねじ５５の一方を取り外すとともに、他方を緩め、第１ヒンジ５２をハンマーレール本体５１に対して回動させることによって（図７参照）、第１挿入部５２ｂをブラケットの挿入孔から抜き出す。次いで、ハンマーレール５０を左方に移動させることによって、第２および第３の挿入部５３ｂ，５４ｂを挿入孔から抜き出し、ハンマーレール５０をブラケットから取り外す。
【０００６】
以上のように、ハンマーレール５０を取り外すためには、ねじ５５の一方を取り外し、緩めた上で、第１ヒンジ５２を回動させ、第１挿入部５２ｂをブラケットの挿入孔から抜かなければならず、しかも、そのような作業を、他の部品が込み合った狭い空間において行わなければならないので、その取り外し作業が非常に煩雑である。また、取り外したハンマーレール５０をブラケットに再度、取り付けるには、第２および第３の挿入部５３ｂ，５４ｂを挿入孔に位置合わせし、ハンマーレール５０を右方に移動させ、第２および第３の挿入部５３ｂ，５４ｂを挿入孔に挿入した後、第１ヒンジ５２を回動させ、第１挿入部５２ｂを挿入孔に挿入し、ねじ５５を締め付けなければならず、その取付作業も非常に煩雑である。
【０００７】
本発明は、以上のような課題を解決するためになされたものであり、ブラケットからのハンマーレールの予期しない外れを防止できるとともに、ハンマーレールを容易に着脱することができるアップライトピアノのハンマーレール装置を提供することを目的とする。
【０００８】
【特許文献１】特開２００３−２６３１５２号公報
【発明の開示】
【課題を解決するための手段】
【０００９】
上記の目的を達成するため、請求項１に係る発明は、ソフトペダルの踏み込みに伴って作動し、鍵の離鍵状態におけるハンマーと弦との間の距離を狭めることによって、ソフトペダル効果を付与するアップライトピアノのハンマーレール装置であって、左右方向に並設され、孔を有する複数のブラケットと、複数のブラケットに対応する複数の部位に、左右方向の互いに同じ向きに突出する複数の挿入部を有し、複数の挿入部が複数のブラケットの孔に挿入された状態で、複数のブラケットに回動自在に支持され、所定角度よりも大きな角度まで弦側に回動可能であるとともに、ソフトペダルの踏み込み時には所定角度、回動するように構成されており、鍵の離鍵状態においてハンマーが当接するハンマーレールと、ハンマーレールの回動角が所定角度以下のときに、ハンマーレールの左右方向への移動を規制するとともに、ハンマーレールの回動角が所定角度よりも大きいときに、ハンマーレールの左右方向への移動を許容するストッパと、を備えることを特徴とする。
【００１０】
このアップライトピアノのハンマーレール装置によれば、複数のブラケットには、孔が設けられ、ハンマーレールの複数のブラケットに対応する複数の部位には、左右方向の互いに同じ向きに突出する複数の挿入部が設けられている。ハンマーレールは、各孔に挿入部が挿入されることによって、複数のブラケットに回動自在に支持されており、鍵の離鍵状態では、ハンマーレールにハンマーが当接している。また、ハンマーレールは、ソフトペダルの踏み込み時には、所定角度、回動し、それにより、ソフトペダル効果が付与される。さらに、ハンマーレールは、この所定角度よりも大きな角度まで弦側に回動可能に構成されている。
【００１１】
また、複数の挿入部は、左右方向の互いに同じ向きに突出しており、対応する孔に同じ側から挿入される。さらに、ハンマーレールの回動角が所定角度よりも大きいときには、ストッパによって、ハンマーレールの左右方向への移動が許容される。したがって、アクションなどのメンテナンスなどの際に、ハンマーレールを取り外す場合には、ハンマーレールを、手動により、所定角度よりも大きな回動角で回動させた状態で、挿入部の挿入方向と逆方向に移動させるだけで、複数の挿入部のすべてを、孔から容易に引き抜くことができる。また、その状態から、ハンマーレールを挿入部の挿入方向に移動させるだけで、複数の挿入部のすべてを、孔に容易に挿入することができる。このように、ハンマーレールをブラケットから容易に着脱することができる。
【００１２】
また、ハンマーレールの回動角が所定角度以下のときには、ストッパによって、ハンマーレールの左右方向への移動が規制される。これにより、ハンマーレールの回動角が所定角度以下のとき、すなわち、上記のように、手動によって強制的にハンマーレールを所定角度を超えて回動させない限りは、各挿入部が孔から抜け出るのを防止でき、ソフトペダルの踏み込み時などにおけるブラケットからのハンマーレールの予期しない外れを防止することができる。
【００１３】
請求項２に係る発明は、請求項１に記載のアップライトピアノのハンマーレール装置において、複数の挿入部の突出量が互いに異なることを特徴とする。
【００１４】
複数の挿入部の突出量が互いに等しい場合には、複数の挿入部のすべてを対応する孔に同時に位置合わせした状態で挿入しなければならず、非常に煩雑である。本発明によれば、複数の挿入部の突出量が互いに異なっているので、突出量が大きいものから順に挿入部を挿入することによって、すべての挿入部を同時に位置合わせすることなく、この挿入を容易に行うことができ、ハンマーレールをブラケットにさらに容易に取り付けることができる。
【発明を実施するための最良の形態】
【００１５】
以下、図面を参照しながら、本発明の好ましい実施形態について説明する。図１は、本実施形態によるハンマーレール装置を、鍵盤２１、ハンマー３１およびアクション４１などとともに、離鍵状態において示している。なお、以下の説明では、演奏者側から見て手前側を「前」、奥側を「後」として説明する。また、同図を含むすべての図面では、便宜上、ハッチングが省略されている。
【００１６】
鍵盤２１は、左右方向（図１の奥行き方向）に並んだ多数の鍵２２（１つのみ図示）によって構成されている。各鍵２２は、筬２３に立設されたバランスピン２３ａに回動自在に支持されており、筬２３は、棚板１１の上面に取り付けられている。
【００１７】
ハンマー３１は、鍵２２ごとに設けられており（１つのみ図示）、各ハンマー３１は、断面円形の細長い棒状に形成されたハンマーシャンク３２と、ハンマーシャンク３２の上端部に設けられたハンマーヘッド３３を有している。ハンマーシャンク３２は、アクション４１の後述するバット４４の上面に立設されており、上下方向に延びている。離鍵状態では、ハンマーシャンク３２は、後述するハンマーレール１の緩衝材２ａに後方から当接しており、ハンマーヘッド３３は、後方に鉛直に張られた弦Ｓに対向している。
【００１８】
アクション４１は、鍵２２ごとに設けられたウィッペン４２、ジャック４３およびバット４４を有しており、左右方向に長く延びるセンターレール１３に取り付けられ、鍵盤２１の後端部の上方に配置されている。ウィッペン４２およびバット４４は、上記のセンターレール１３に取り付けられたウィッペンフレンジ４５およびバットフレンジ４６に、それぞれ回動自在に支持されており、ウィッペン４２は、離鍵状態において、対応する鍵２２の後端部に載置されている。ジャック４３は、ウィッペン４２の上端部に回動自在に支持されており、離鍵状態において、バット４４に下方から係合している。
【００１９】
以上の構成により、鍵２２が押鍵されると、ウィッペン４２は、鍵２２により突き上げられることによって、ジャック４３とともに上方に回動し、それに伴い、ジャック４３は、バット４４を突き上げる。これにより、ハンマー３１は、バット４４とともに弦Ｓに向かって回動し、ハンマーレール１から離れ、その後、ハンマーヘッド３３が弦Ｓを打弦することによって、ピアノ音が発生する。そして、押鍵が終了すると、ウィッペン４２、ジャック４３およびハンマー３１が、押鍵前の元の位置に戻り、ハンマー３１は、ハンマーレール１に当接する。
【００２０】
ハンマーレール装置は、ハンマーレール１と、ハンマーレール１を回動自在に支持するブラケット１２を有している。このブラケット１２は、棚板１１の後端部の左端部（低音側の端部）、中央および右端部（高音側の端部）にそれぞれ設けられている（右端部のもののみ図示）。各ブラケット１２は、例えばアルミニウム軽合金により構成され、上下方向に延びており、その上端部が、アクションボルトによりフレーム（いずれも図示せず）に固定されるとともに、下端部が、棚板１１に載置されたアクションベース（図示せず）に固定されている。また、ブラケット１２は、その中央から前方に延びるレール支持部１２ａ（ストッパ）を有しており、このレール支持部１２ａの上面の前端部には、例えばフェルトで構成された緩衝材１２ｂが貼り付けられている。ブラケット１２の中央には、左右方向に貫通する孔１２ｃが形成されており（図３参照）、これらの孔１２ｃは、直線状に整列するように配置されている。また、ブラケット１２の下部に、前述したセンターレール１３が固定されている。
【００２１】
図２に示すように、ハンマーレール１は、扇状の中空の断面形状を有し、すべてのハンマー３１にわたって左右方向に延びるハンマーレール本体２と、ハンマーレール本体２の下面の後部の左端部、中央および右端部にそれぞれ取り付けられた第１〜第３のフォーク３〜５を有している。ハンマーレール本体２は、例えばアルミニウム軽合金の押し出し成形品によって構成されており、その背面の上部には、長さ方向の全体にわたって、例えばフェルトで構成された緩衝材２ａが貼り付けられている。また、ハンマーレール本体２の左端部には、ソフトペダル７に連結されたペダル突揚棒８（図５参照）が着脱自在に取り付けられている。
【００２２】
低音側の第１フォーク３は、左右方向に若干延びる板状の基部３ａと、その右端部から下方に若干延び、さらに後方に延びる板状のアーム部３ｂと、その後端部から左方に突出するピン状の挿入部３ｃを有している。
【００２３】
中央の第２フォーク４は、第１フォーク３と同様の基部４ａ、アーム部４ｂおよび挿入部４ｃを有しており、高音側の第３フォーク５も、基部５ａ、アーム部５ｂおよび挿入部５ｃを有している。第１〜第３のフォーク３〜５の挿入部３ｃ〜５ｃの突出量は、互いに異なる所定の大きさに設定されており、第３フォーク５のものが最も大きく、第１フォーク３のものが最も小さい。また、第１〜第３のフォーク３〜５は、それらの基部３ａ〜５ａを各２つのねじ６でハンマーレール本体２に固定することによって、取り付けられている。
【００２４】
また、第３フォーク５はさらに、基部５ａの左端部から下方に若干延びる板状の当接部５ｄを有している。さらに、基部５ａの左右方向の長さは、ブラケット１２のレール支持部１２ａの厚さよりも大きくなっている。
【００２５】
以上の構成のハンマーレール１は、第１〜第３のフォーク３〜５の挿入部３ｃ〜５ｃが対応するブラケット１２の孔１２ｃに挿入されることによって、ブラケット１２に回動自在に支持されている。また、ハンマーレール１は、ソフトペダル７が踏み込まれていない状態では、ブラケット１２の緩衝材１２ｂに上方から当接し、静止している（図１参照）。この状態では、第３フォーク５の当接部５ｄおよびアーム部５ｂは、ブラケット１２のレール支持部１２ａの左右両側にそれぞれ位置し、レール支持部１２ａに左右方向にオーバーラップしている。
【００２６】
また、ソフトペダル７が踏み込まれると、それに伴い、ハンマーレール１は、前述したペダル突揚棒８で突き上げられることによって、挿入部３ｃ〜５ｃを中心として弦Ｓ側に所定角度θ、回動した位置で停止する（図３参照）。これに伴い、ハンマーレール１に当接するハンマー３１もまた、弦Ｓ側に同じ所定角度θ、回動した位置に位置し、離鍵状態におけるハンマー３１と弦Ｓとの間の距離が狭められる。これにより、ハンマー３１による弦Ｓの打弦力およびそれにより発生するピアノ音が弱められることによって、ソフトペダル効果が付与される。また、この状態においても、当接部５ｄおよびアーム部５ｂはレール支持部１２ａに左右方向にオーバーラップしている。
【００２７】
以上の構成によれば、ハンマーレール１を意図的に回動させない限り、ハンマーレール１の回動角は、ソフトペダル７が踏み込まれたときの所定角度θ以下であり、当接部５ｄおよびアーム部５ｂは、レール支持部１２ａに左右方向に必ずオーバーラップしている。その結果、ハンマーレール１が左右方向に移動したときに、アーム部５ｂおよび当接部５ｄがレール支持部１２ａに当接することによって、ハンマーレール１の左右方向への移動が規制される。これにより、ソフトペダル７の踏み込み時などにおいて、挿入部３ｃ〜５ｃが孔１２ｃから抜け出るのを防止でき、ブラケット１２からのハンマーレール１の予期しない外れを防止することができる。また、そのようなハンマーレール１の移動の規制をブラケット１２の既存のレール支持部１２ａを利用して行うので、この規制用に特別な部品を設ける必要がなく、それにより、ハンマーレール装置の大型化や製造コストの増大を防止することができる。
【００２８】
そして、ソフトペダル７の踏み込みが終了し、ペダル突揚棒８による突き上げが解除されると、ハンマーレール１およびハンマー３１は、ソフトペダル７の踏み込み前の元の位置に戻る。
【００２９】
また、アクション４１のメンテナンスなどを行う際におけるハンマーレール１の取り外しは、次のようにして行われる。すなわち、まず、ハンマーレール１からペダル突揚棒８を取り外した後、図４に示すように、ハンマーレール１を、所定角度θよりも大きな角度で弦Ｓ側に回動させる。これにより、当接部５ｄが、レール支持部１２ａから上方に外れ、レール支持部１２ａと左右方向にオーバーラップしなくなる。次いで、この状態から、ハンマーレール１を右方に押すと、ハンマーレール１は、レール支持部１２ａに邪魔されることなく右方に移動し、それにより、挿入部３ｃ〜５ｃがブラケット１２の孔１２ｃから抜き出され、ハンマーレール１がブラケット１２から取り外される。このように、ハンマーレール１を所定角度θよりも大きな角度で回動させ、右方に移動させるだけで、すべての挿入部３ｃ〜５ｃを孔１２ｃから容易に抜き出すことができ、ハンマーレール１をブラケット１２から容易に取り外すことができる。
【００３０】
さらに、ハンマーレール１の取り付けは、基本的には上記と逆の順により、すなわち、ハンマーレール１を所定角度θよりも大きな角度位置に位置させた状態で左方に移動させることによって、容易に行うことができる。また、この場合の孔１２ｃへの挿入部３ｃ〜５ｃの挿入は、突出量の大きい挿入部５ｃ、４ｃ、３ｃの順に行う。これにより、すべての挿入部３ｃ〜５ｃを同時に位置合わせすることなく、この挿入を順次に容易に行うことができ、ブラケット１２への取り付けをさらに容易に行うことができる。
【００３１】
なお、本発明は、説明した実施形態に限定されることなく、種々の態様で実施することができる。例えば、実施形態では、ブラケット１２側に孔１２ｃを、ハンマーレール１側に挿入部３ｃ〜５ｃをそれぞれ設けているが、これらの配置を逆にし、ブラケット１２側に挿入部を、ハンマーレール１側に孔を設けてもよい。また、実施形態では、ストッパとして、既存のレール支持部１２ａを用いているが、ストッパ用に設けた特別な部品を用いてもよい。
【００３２】
さらに、実施形態では、挿入部３ｃ〜５ｃの突出量がすべて互いに異なっているが、これらの挿入部が３つ以上ある場合に、これらの少なくとも２つを互いに異ならせてもよく、あるいは、これらの突出量をすべて互いに同じにすることもまた、本発明の趣旨の範囲内である。また、実施形態では、孔１２ｃを、左右方向に貫通するように形成したが、挿入部３ｃ〜５ｃの挿入方向にのみ開口する凹状に形成してもよい。さらに、実施形態では、挿入部３ｃ〜５ｃが、左方に突出しているが、右方に突出してもよいことはもちろんである。また、ブラケット１２の数は、実施形態の３つに代えて、２つまたは４つ以上でもよい。その他、本発明の趣旨の範囲内で、細部の構成を適宜、変更することが可能である。
【図面の簡単な説明】
【００３３】
【図１】本実施形態によるハンマーレール装置を、アクションなどとともに離鍵状態において示す側断面図である。
【図２】図１のハンマーレールを拡大した斜視図である。
【図３】図１のハンマーレールなどを、ハンマーレールが所定角度θ、回動した状態において示す側断面図である。
【図４】図１のハンマーレールなどを、ハンマーレールが所定角度θよりも大きな角度で回動した状態において示す側断面図である。
【図５】ハンマーレール、ペダル突揚棒およびソフトペダルを示す図である。
【図６】従来のハンマーレールの斜視図である。
【図７】図６のハンマーレールを取り外す際の動作を説明するための図である。
【符号の説明】
【００３４】
１  ハンマーレール
３ｃ  挿入部
４ｃ  挿入部
５ｃ  挿入部
７  ソフトペダル
１２  ブラケット
１２ａ  レール支持部（ストッパ）
１２ｃ  孔
２２  鍵
３１  ハンマー
Ｓ  弦
θ  所定角度
【図１】
0004741956.tif 000002
【図２】
0004741956.tif 000003
【図３】
0004741956.tif 000004
【図４】
0004741956.tif 000005
【図５】
0004741956.tif 000006
【図６】
0004741956.tif 000007
【図７】
0004741956.tif 000008